(57)【要約】【課題】  文書データ等の画像データを外部から入力するとき、その画像データに使用されるフォントデータが入力側で不足していても、その不足フォントデータを外部から入力できるようにする。【解決手段】  フォントデータ記憶部３３は予めフォントデータを記憶する。第１〜第３の入力部４０〜６０は画像データを形成するデータを入力する。フォントデータ追加制御部３２は画像データに用いるフォントデータのうちフォントデータ記憶部にない不足フォントデータに係る不足フォント情報を検出し、当該不足フォントデータが入力されたときフォントデータ記憶部３３に記憶制御する。フォントデータ検索制御部３４は不足フォント情報に基づきネットワーク１０２上のサーバーやホストコンピュータを検索制御して不足フォントデータが取得されたとき、それをフォントデータ追加制御部３２に出力制御する。【選択図】  図１
2007261122.tif 000002
【特許請求の範囲】
【請求項１】
ネットワークに接続された画像形成装置であって、
フォントデータを記憶するフォントデータ記憶部と、
画像データを形成するデータを入力する入力部と、
前記画像データに用いるフォントデータのうち前記フォントデータ記憶部にない不足フォントデータに係る不足フォント情報を検出するとともに、当該不足フォントデータが入力されたときこれを前記フォントデータ記憶部に追加記憶制御するフォントデータ追加制御部と、
前記不足フォント情報に基づき前記ネットワークに接続された情報処理装置を検索制御し、前記不足フォントデータが取得されたとき前記フォントデータ追加制御部側に出力制御するフォントデータ検索制御部と、
を具備することを特徴とする画像形成装置。
【請求項２】
前記画像データはアドレス帳である請求項１記載の画像形成装置。
【請求項３】
前記フォントデータを表示態様又は画像形成態様に応じてフォーマット変換制御するフォント制御部を有する請求項１又は２記載の画像形成装置。
【請求項４】
フォントデータを記憶するフォントデータ記憶部にフォントデータを追加可能でネットワークに接続された画像形成制御用コンピュータにおいて、
画像データを形成するデータを入力する入力処理と、
前記画像データに用いるフォントデータのうち前記フォントデータ記憶部にない不足フォントデータに係る不足フォント情報を検出する不足フォント検出処理と、
この不足フォント情報に基づき前記ネットワークに接続された情報処理装置を検索して前記不足フォントデータを取得するフォントデータ検索処理と、
前記不足フォントデータが取得されたときこれを前記フォントデータ記憶部に追加記憶制御するフォントデータ追加処理と、
を実行する画像形成制御プログラム。
【発明の詳細な説明】
【技術分野】
【０００１】
本発明は画像形成装置および画像形成制御プログラムに係り、例えば、プリンタ、複写機、ファクシミリ等の複合機能を有する複合機（ＭＦＰ）に搭載して好適する画像形成装置および画像形成制御プログラムに関する。
【背景技術】
【０００２】
近年、この種の複合機（ＭＦＰ）では、日本語以外に英語、韓国語、中国語といった複数の言語での使用が可能な機器が提供されるようになっており、例えば、以下に示すような構成が知られている。
【０００３】
すなわち、図３に示すように、入力したプリンタデータに対してプリンタ制御部１において印刷フォントデータ記憶部３からのフォントデータによって印刷画像データを作成して画像制御部５に出力し、入力部７を介して外部メモリ等から入力した文書データを画像データとして画像制御部５に出力し、パネル制御部９を介した表示パネル１１からの指示に基づき、画像制御部５にてそれら印刷画像データ又は読込み画像データを印刷処理部１３に出力制御して印刷させたり、送信制御部１５に出力制御し、送信フォントデータ記憶部１７からの送信フォントデータよって送信元や送信先の名称やＩＤを送信画像制御部１９にてヘッダやフッタに付加し、ネットワーク（図示省略）にＦＡＸ送信するとともに、画像制御部５からの種々の表示データをパネル制御部９を介して表示パネル１１に表示する構成を有していた。
【０００４】
図３中の符号２１は表示パネル１１に表示する表示フォントデータを記憶しパネル制御部９にて読み書き制御される表示フォントデータ記憶部であり、符号２３は原稿データを読込んで画像データとして画像制御部５に出力するスキャナー処理部である。
【０００５】
このような複合機において、複数の言語に対応させる場合、印刷フォントデータ記憶部３、送信フォントデータ記憶部１７、表示フォントデータ記憶部２１に、所望の言語フォントデータを各々記憶しておかないと、印刷画像データを作成できなかったり、画像データに文字を付加したり表示パネル１１で表示ができない。
【０００６】
ところが、複数の言語フォントデータを予め記憶して備えるには大容量のメモリが必要となってかなりの費用が必要であるうえ、ユーザ毎に必要とする言語も異なる。
【０００７】
そこで、従来の複合機では、機器を設置する国の言語に加えて１〜２の主要な言語フォントを標準言語（例えば日本語や英数字）として表示フォント記憶部２１に記憶させ、主に表示パネル１１において複数言語を切換え表示可能に構成し、パネル操作における支障を少なくして対応している。
【０００８】
なお、複数の言語に対応可能な構成やネットワーク接続する構成としては、例えば特開平９−１０７４５３号公報（特許文献１）および特開２００２−２８１２１１号公報（特許文献２）がある。
【特許文献１】特開平９−１０７４５３号公報
【特許文献２】特開２００２−２８１２１１号公報
【発明の開示】
【発明が解決しようとする課題】
【０００９】
しかしながら、上述した複合機では、表示フォント記憶部２１にオプション言語フォントデータを追加すれば表示パネル１１での追加言語表示が可能にはなるが、表示フォントデータ記憶部２１に記憶されていないフォントデータを用いる文書データ例えばアドレス帳等が入力されると、依然として表示できない難点がある。
【００１０】
しかも、オプション言語フォントデータを追加するには、内部記憶部のかなりの記憶容量が必要となるうえ、入力した画像データには使用しないフォントデータまで記憶されるから不経済となり易い。
【００１１】
特に、複合機では、ネットワークを介したデータの送受信を行うために、複数言語に対応したアドレス帳が必要となり、アドレス帳毎に使用できない言語があると極めて不便である。
【００１２】
また、印刷フォントデータ記憶部３および送信フォントデータ記憶部１７にはオプション言語フォントデータが存在しないので、入力部７から入力したアドレス帳等の表示ができないのみならず、送信画像データにフォントデータも付加できず、もし付加しようとすれば標準言語の付加のみに限定される難点がある。
【００１３】
近年、上述した複合機は各国で使用されるようになるとともにネットワークを介して接続されるようになってきたため、搭載されたフォントデータの異なる複合機間でデータの送受信を円滑に行うために上述した課題の改善が強く望まれている。
【００１４】
本発明はそのような課題を解決するためになされたもので、文書データ等の画像データを入力したとき、その画像データに使用されるフォントデータが入力側で不足していても、その不足フォントデータを外部から取り込み可能な画像形成装置および画像形成制御プログラムの提供を目的とする。
【課題を解決するための手段】
【００１５】
そのような課題を解決するために本発明は、ネットワークに接続された画像形成装置であり、フォントデータを記憶するフォントデータ記憶部と、画像データを形成するデータを入力する入力部と、その画像データに用いるフォントデータのうちそのフォントデータ記憶部にない不足フォントデータに係る不足フォント情報を検出するとともに、当該不足フォントデータが入力されたときこれをフォントデータ記憶部に追加記憶制御するフォントデータ追加制御部と、その不足フォント情報に基づき上記ネットワークに接続された情報処理装置を検索制御して不足フォントデータが取得されたときそのフォントデータ追加制御部側に出力制御するフォントデータ検索制御部とを具備している。
【００１６】
そして、本発明では、上記画像データとしてアドレス帳とする構成が可能である。
【００１７】
また、本発明では、上記フォントデータを表示態様又は画像形成態様に応じてフォーマット変換制御するフォント制御部を有する構成が可能である。
【００１８】
そして、本発明に係る画像形成制御プログラムでは、フォントデータを記憶するフォントデータ記憶部にフォントデータを追加可能でネットワークに接続された画像形成制御用コンピュータにおいて、画像データを形成するデータを入力する入力処理と、その画像データに用いるフォントデータのうちフォントデータ記憶部にない不足フォントデータに係る不足フォント情報を検出するフォント検出処理と、この不足フォント情報に基づきそのネットワークに接続された情報処理装置を検索してその不足フォントデータを取得するフォントデータ検索処理と、その不足フォントデータが取得されたときこれを上記フォントデータ記憶部に追加記憶制御するフォントデータ追加処理とを実行するものである。
【発明の効果】
【００１９】
このような本発明に係る画像形成装置および画像形成制御プログラムは、フォントデータをフォントデータ記憶部に予め記憶し、画像データを形成するデータを入力部から入力し、その画像データが入力されたとき、フォントデータ追加制御部にて、それに用いるフォントデータのうちそのフォントデータ記憶部にない不足フォントデータに係る不足フォント情報を検出するとともに、フォントデータ検索制御部にてその不足フォント情報に基づき上記ネットワークに接続された情報処理装置を検索して不足フォントデータを取得たときそのフォントデータ追加制御部側に出力制御し、当該不足フォントデータが入力されたときフォントデータ追加制御部にてこれをフォントデータ記憶部に追加記憶制御するから、入力した文書データ等の画像データについて、これに使用されるフォントデータが入力側で不足していても、ネットワークを介して外部の情報処理装置から不足フォントデータを取得可能となり、画像データの表示等が可能となる。
【００２０】
また、上記画像データとしてアドレス帳とする構成では、画像データ量が少なく、フォントデータ記憶部にない不足フォントデータも少ないので、必要な記憶容量が小さくて済み、動作も速い利点がある。
【００２１】
さらに、上記フォントデータを表示態様又は画像形成態様に応じてフォーマット変換制御するフォント制御部を有する構成では、上記フォントデータを表示させたり画像データに付加せたり、共通のフォントデータを態様に応じて種々に使用することが可能である。
【発明を実施するための最良の形態】
【００２２】
以下、本発明の実施の形態を図面を参照して説明する。
【００２３】
図１は本発明に係る画像形成装置の実施の形態を示すブロック図である。
【００２４】
図１において、本発明に係る画像形成装置（複合機）は、概略的に画像制御部３０を中心にして第１の入力部４０、第２の入力部５０、第３の入力部６０、表示部７０、第１の出力部８０、第２の出力部９０およびネットワーク入出力部１００を有している。
【００２５】
画像制御部３０は、フォント制御部３１、フォントデータ追加制御部３２、フォントデータ記憶部３３およびフォントデータ検索制御部３４を有して形成されており、詳細な機能は後述する。
【００２６】
第１の入力部４０はプリンタ制御部４１を有しており、図示しないコンピュータからプリンタデータをプリンタ制御部４１に入力し、このプリンタ制御部４１においてフォント制御部３１を介して得た後述するフォントデータによって印刷画像データを作成し、画像制御部３０に出力する機能を有する。
【００２７】
第２の入力部５０は、画像制御部３０の制御の下、図示しないＵＳＢメモリ等の外部記憶媒体やネットワークからの例えばアドレス帳等の文書データ等を入力して画像制御部３０に出力する入力ポート５１を有している。
【００２８】
第３の入力部６０は従来公知のスキャナー処理部６１を有し、原稿データを読み取って電子的な画像データに変換して画像制御部３０に出力する従来公知の機能を有している。
【００２９】
表示部７０は、パネル表示機能およびタッチ式入力機能を有する従来公知の表示パネル７１と、この表示パネル７１に表示する言語毎の複数のキーボード配列データを記憶するキーボードデータ記憶部７２と、そのキーボード配列データ等に基づき表示キーボード画像を作成して表示パネル７１に表示制御するパネル制御部７３とを有して形成されている。
【００３０】
キーボードデータ記憶部７２には、予め日本語等の標準言語のキーボード配列データとこのキー位置に用いるキーフォントデータが記憶されている。
【００３１】
パネル制御部７３は、操作者のタッチ入力により、表示パネル７１から入力指示された指示情報を画像制御部３０に出力する機能も有している。
【００３２】
第１の出力部８０は、画像制御部３０から出力された第１〜第３の入力部４０、５０、６０からのデータに基づく画像データを用紙に印刷して出力する従来公知の印刷エンジン等である。
【００３３】
第２の出力部９０は、フォント入り画像データを所定の送信用信号に変換するとともに所定のプロトコルで外部のネットワークに、例えばＦＡＸ送信する送信制御部９１であり、フォント制御部３１から出力された送信フォントデータを、送信画像データのヘッダやフッタに送信元や送信先の名称やＩＤとして付加する送信画像制御部９２を有している。
【００３４】
ネットワーク入出力部１００は、後述するように、画像制御部３０のフォントデータ検索制御部３４からの不足フォント情報に基づきネットワーク１０２に対して不足フォントデータの検索制御をするインターフェース機能を有するネットワーク制御部１０１を有している。
【００３５】
画像制御部３０は、上述したフォント制御部３１、フォントデータ追加制御部３２およびフォントデータ記憶部３３において、言語フォントデータを読み書き可能に記憶したり読出し制御する他、第１〜第３の入力部４０、５０、６０から画像データを入力制御するとき、当該画像データの表示その他に用いるための文字等に対応するフォントデータを認識してフォントデータ記憶部３３を検索し、フォントデータ記憶部３３にない不足フォントデータがあれば、これに係る不足フォント情報を形成し、これ基づいて外部から不足フォントデータを入力したとき、それを当該文字等に関連付けてフォントデータ記憶部３３に追加記憶制御する機能を有している。
【００３６】
画像制御部３０は、フォントデータ検索制御部３４において、その不足フォント情報から不足フォント取得情報を形成してネットワーク制御部１０１を介してネットーワーク１０２に送出し、これに接続された後述する外部の情報機器からネットワーク制御部１０１を介して取得された不足フォントデータをフォント制御部３１を介してフォントデータ記憶部３３に追加記憶制御する機能を有している。詳細は後述する。
【００３７】
画像制御部３０は、動作状態や種々の選択指示内容を表示する表示データを作成してパネル制御部７３に出力し、表示パネル７１からの指示に基づき、プリンタ制御部４１、スキャナー処理部６１又は入力ポート５１からの画像データを印刷画像データとして印刷処理部８１に出力したり、送信画像データとして送信制御部９１に出力する機能その他を有している。
【００３８】
画像制御部３０のフォントデータ追加制御部３２、フォントデータ記憶部３３およびフォントデータ検索制御部３４は、図２に示すような構成を有している。
【００３９】
フォントデータ追加制御部３２は、フォント制御部３１に接続された文字処理部３２１と、この文字処理部３２１に接続された文字作成処理部３２２および文字キャッシュ制御部３２３とを有する一方、フォント制御部３１に接続された外部フォント制御部３２４と、この外部フォント制御部３２４に接続された外部フォント登録処理部３２５とを有し、フォントデータ記憶部３３に対してフォントデータを読書き制御する機能を有している。
【００４０】
フォントデータ追加制御部３２は、例えば入力ポート５１から画像データが入力されたとき、当該画像データに用いるフォントデータについてフォントデータ記憶部３３内を検索し、不足フォントデータがあれば不足フォント情報を形成してフォント制御部３１に出力し、フォント制御部３１から不足フォントデータが得られればこれをフォントデータ記憶部３３に追加記憶制御する機能を有している。
【００４１】
フォントデータ記憶部３３は、文字作成処理部３２２に接続された内部フォントデータ記憶部３３１、外部フォントデータ記憶部３３２およびキャッシュデータ記憶部３３３を有しており、外部フォントデータ記憶部３３２は外部フォント登録処理部３２５に、キャッシュデータ記憶部３３３は文字キャッシュ制御部３２３にも各々接続されており、文字や記号等の符号に対応したフォントデータをその文字等に関連付けて読み書き可能に記憶するものである。
【００４２】
内部フォントデータ記憶部３３１には日本語等が標準言語フォントデータとして予め記憶されており、フォントデータ追加制御部３２は、外部フォントデータ記憶部３３２に対して複数種類の言語フォントデータを当該言語毎に管理して記憶制御する。
【００４３】
フォント制御部３１に接続されたフォントデータ検索制御部３４は、フォント制御部３１からの不足フォント情報から不足フォント取得情報を形成してネットワーク制御部１０１に出力制御するとともに、フォント制御部３１を介して取得された不足フォントデータをフォント制御部３１に出力制御する機能を有している。
【００４４】
不足フォント取得情報は、ネットーワーク１０２上に接続され予め登録された複合機１０３やサーバー１０４のＩＰアドレス、必要とされる不足フォントデータ、この不足フォントデータの検索命令等を含み、ネットーワーク１０２上に接続された複合機１０３やサーバー１０４を指定して不足フォントデータ検索を命令するとともに、該当する不足フォントデータがあれば返送させるものである。
【００４５】
ネットワーク制御部１０１は、不足フォント取得情報等を公知のネットーワーク１０２に送出し、これに接続された外部の情報機器としての例えば複合機１０３やサーバー１０４から送られた不足フォントデータ等を受信解読してフォントデータ検索制御部３４に出力するインターフェース機能を有している。
【００４６】
複合機１０３やサーバー１０４は、不足フォント取得情報等を受け、該当するフォントデータがあればネットワーク１０２を介してネットワーク制御部１０１に返する機能を有している。
【００４７】
上述したフォント制御部３１は、画像データに用いるフォントデータについて不足フォント情報が得られると、これをフォントデータ検索制御部３４に出力する一方、フォントデータ検索制御部３４から不足フォントデータが得られればフォントデータ追加制御部３２を介して外部フォントデータ記憶部３３２に追加記憶させるようになっている。
【００４８】
フォント制御部３１は、文字コード等に対応するフォントデータを文字処理部３２１や文字作成処理部３２２を介して内部又は外部フォントデータ記憶部３３１、３３２から読み出し、それらフォントデータを、表示パネル１１にて表示する表示態様に応じてフォーマット変換してパネル制御部７３に出力制御する一方、印刷画像データの画像形成態様に応じてフォーマット変換してプリンタ制御部４１に出力制御するとともに、アドレス帳その他文書データとしての送信画像データにおけるヘッダーやフッターへの付加態様に応じてフォーマット変換して送信画像制御部９１に出力制御する機能を有している。
【００４９】
すなわち、フォント制御部３１は、取得した当該フォントデータから表示態様や、印刷画像データ又は送信画像データ等の画像データに用いる態様に応じて各々変換制御する機能も有している。
【００５０】
次に、上述した画像形成装置の動作を簡単に説明する。
【００５１】
まず、言語フォントデータの追加登録動作を説明する。
【００５２】
例えば、第２の入力部５０の入力ポート５１に、文書データ等を格納したＵＳＢメモリ等の外部記憶媒体が接続されると、表示パネル７１からの指示に基づく画像制御部３０の制御の下、画像データとして画像制御部３０に入力される。
【００５３】
画像制御部３０では、フォントデータ追加制御部３２が、画像データに用いられるフォントデータを文字処理部３２１および文字作成処理部３２２を介して内部および外部フォントデータ記憶部３３１、３３２内を検索し、もし不足フォントデータがあるとこれに係る不足フォント情報を作成し、フォント制御部３１がこれをフォントデータ検索制御部３４へ渡す。
【００５４】
フォントデータ検索制御部３４では、不足フォント取得情報に基づき、予め登録された複合機１０３やサーバー１０４に係るＩＰアドレスを含む不足フォント取得情報を形成し、ネットワーク制御部１０１を介して外部の複合機１０３やサーバー１０４内を検索する。
【００５５】
複合機１０３やサーバー１０４内に該当する不足フォントデータがあって返送されたとき、フォントデータ検索制御部３４が不足フォントデータをフォント制御部３１に出力し、フォント制御部３１が外部フォント制御部３２４および外部フォント登録処理部３２５を介して不足フォントデータのみを文字コードに関連付けて外部フォントデータ記憶部３３２に追加記憶する。
【００５６】
そして、入力された画像データを例えば表示パネル７１に表示する場合、表示パネル７１における選択指示に基づき、パネル制御部７３がキーボードデータ記憶部７２から所望のキーボード配列データ等を読み出し表示する一方、フォント制御部３１が、文字処理部３２１、文字作成処理部３２２を介した文字コードに対応するフォントデータを外部フォントデータ記憶部３３２、又は文字キャッシュ制御部３２３を介したキャッシュデータ記憶部３３３から取得し、画像データの表示態様にフォーマット変換してパネル制御部７３に出力し、追加フォントデータを含めて画像表示する。
【００５７】
ところで、フォントデータを用いてプリンタデータから印刷画像データを形成する場合には、フォント制御部３１がプリンタ制御部４１からの指示に基づき、文字処理部３２１、文字作成処理部３２２を介して対応するフォントデータを内部や外部フォントデータ記憶部３３１、３３２、又は文字キャッシュ制御部３２３を介したキャッシュデータ記憶部３３３から取得し、印刷画像データの形成態様に応じてフォーマット変換し、変換フォントデータをプリンタ制御部４１に出力する。
【００５８】
プリンタ制御部４１では、変換フォントデータを用いて印刷画像データを形成して画像制御部３０へ出力する。送信画像データに付加するフォントデータについても同様である。
【００５９】
このように構成された本発明に係る画像形成装置では、フォントデータを記憶するフォントデータ記憶部３３と、画像データを形成するデータを入力する第１〜第３の入力部４０、５０、６０と、その画像データに用いるフォントデータのうちそのフォントデータ記憶部にない不足フォントデータに係る不足フォント情報を検出し、当該不足フォントデータが入力されたときこれをフォントデータ記憶部３３に追加記憶制御するフォントデータ追加制御部３２と、その不足フォント情報に基づきネットワーク１０２に接続された複合機１０３やサーバー１０４（情報処理装置）を検索制御して不足フォントデータが取得されたとき、フォント制御部３１を介してそれをフォントデータ追加制御部３２に出力制御するフォントデータ検索制御部３４とを具備している。
【００６０】
そのため、入力した文書データ等の画像データについて、入力側においてこれに使用されるフォントデータが不足していても、その不足フォントのみをネットワーク１０２に接続された複合機１０３やサーバー１０４から取り込んで使用可能となり、入力画像データの表示や印刷等に支障が生じない。
【００６１】
また、上記画像データがアドレス帳であれば、画像データ量が少なく、フォントデータ記憶部３３にない不足フォントデータも極めて少ないし、既に入力側に保存されているフォントデータを取込まないので、追加に必要な記憶容量が小さくて済み、動作も遅くならない利点がある。
【００６２】
さらに、上記フォントデータを表示態様又は画像形成態様に応じてフォーマット変換制御するフォント制御部３１を有するから、文字フォントデータの追加変更が簡単になるうえ、文字フォントデータを追加変更してもその文字フォントデータを用いて、表示データ、印刷画像データや送信画像データを簡単に作成することが可能である。
【００６３】
そして、フォントデータ追加制御部３２が、複数種類の言語フォントデータを当該言語毎に管理して記憶制御するから、複数の言語フォントデータの追加変更が簡単になるうえ、変更した言語フォントデータによって印刷画像データや送信画像データを簡単に作成することが可能となる利点があり、複数国における使用を促進できる。
【００６４】
ところで、本実施の形態では、フォント制御部３１を介して不足フォントデータをフォントデータ追加制御部３２に出力制御する構成に限らず、フォントデータ検索制御部３４から直接又は間接的に不足フォントデータをフォントデータ追加制御部３２側に出力制御する構成が可能である。
【００６５】
また、出力部としての第２の出力部９０とネットワーク入出力部１００とを分けて図示しているが、実際の製品においては同一構成によってそれらの機能を具備させる場合が多いであろう。
【００６６】
しかも、上述した実施の形態では、画像データを形成するデータの入力部として第２の入力部５０の入力ポート５１を用いたが、第１、第３の入力部４０、６０およびネットワーク入出力部１００をその入力部とする構成も可能である。
【００６７】
なお、本発明に係るフォント追加制御装置では、文字フォントデータに限らず、文字、記号その他符号についてのフォントデータにおいて実施可能である。
【００６８】
そして、本発明に係る追加制御プログラムにつき言及すれば、フォントデータ追加制御部３２、フォントデータ記憶部３３およびフォントデータ検索制御部３４を有する画像形成制御用コンピュータにおいて、画像データを形成するデータを入力する入力処理と、その画像データに用いるフォントデータのうちフォントデータ記憶部３３にない不足フォントデータに係る不足フォント情報を検出するフォント検出処理と、この不足フォント情報に基づきネットワーク１０２に接続された情報処理装置を検索してその不足フォントデータを取得するフォントデータ検索処理と、その不足フォントデータが取得されたときこれを上記フォントデータ記憶部３３に追加記憶制御するフォントデータ追加処理とを実行するものである。
【図面の簡単な説明】
【００６９】
【図１】本発明に係る画像形成装置の実施の一形態を複合機とともに示すブロック図である。
【図２】図１中の画像制御部の構成例を示すブロック図である。
【図３】従来の複合機の一例を示すブロック図である。
【符号の説明】
【００７０】
１  プリンタ制御部
３  印刷フォントデータ記憶部
５  画像制御部
７  入力部
９  パネル制御部
１１  表示パネル
１３  印刷処理部
１５  送信制御部
１７  送信フォントデータ記憶部
１９  送信制御部
２１  表示フォントデータ記憶部
２３  スキャナー処理部
３０  画像制御部
３１  フォント制御部
３２  フォントデータ追加制御部
３２１  文字処理部
３２２  文字作成処理部
３２３  文字キャッシュ制御部
３２４  外部フォント制御部
３２５  外部フォント登録処理部
３３  フォントデータ記憶部
３３１  内部フォントデータ記憶部
３３２  外部フォントデータ記憶部
３３３  キャッシュデータ記憶部
３４  フォントデータ検索制御部
４０  第１の入力部（入力部）
４１  プリンタ制御部
５０  第２の入力部（入力部）
５１  入力ポート
６０  第３の入力部（入力部）
６１  スキャナー処理部
７０  表示部
７１  表示パネル
７２  キーボードデータ記憶部
７３  パネル制御部
８０  第１の出力部（出力部）
８１  印刷処理部
９０  第２の出力部（出力部）
９１  送信制御部
９２  送信画像制御部
１００  ネットワーク入出力部（入力部、出力部）
１０１  ネットワーク制御部
１０２  ネットワーク
１０３  複合機（情報機器）
１０４  サーバー（情報機器）
【図１】
2007261122.tif 000003
【図２】
2007261122.tif 000004
【図３】
2007261122.tif 000005